(57)【要約】【課題】レンズに対する調芯を効率的に行うことのできる広角レンズユニットを提供すること。【解決手段】広角レンズユニット１において、ホルダ９は、ガラスレンズからなるレンズ１５を保持する第１ホルダ４０と、レンズ１２〜１４や第１ホルダ４０を内側に保持する第２ホルダ６０とを有している。第１ホルダ４０には絞り２１が一体に形成され、第１ホルダ４０とレンズ１４との間には板状バネ２３が配置されている。レンズ１５は調芯レンズであり、第２ホルダ６０には、光軸Ｌ方向に対して直交する方向からみたときに、第１ホルダ４０の少なくとも一部と重なる位置に調芯用開口部９１が形成されている。第１ホルダ４０は、調芯用開口部９１から差し込まれた調芯ピンによって位置が調整された後、調芯用開口部９１から供給された接着剤により第２ホルダ６０に固定される。【選択図】図１
2015175918.tif 000002
【特許請求の範囲】
【請求項１】
光軸方向に配列された複数のレンズと、
前記複数のレンズを内側に保持するホルダと、
前記複数のレンズのいずれかのレンズ間に設けられた絞りと、
を有し、
前記複数のレンズのうち、前記絞りに物体側で隣り合う物体側レンズ、および前記絞りに像側で隣り合う像側レンズのうちの一方のレンズは、光軸に対して直交する方向に位置調整が行われる調芯レンズであり、
前記ホルダには、前記光軸方向に対して直交する方向からみたときに、前記調芯レンズの少なくとも一部と重なる位置に調芯用開口部が形成されていることを特徴とする広角レンズユニット。
【請求項２】
前記複数のレンズのうち、最も物体側に位置するレンズは、他のレンズより外径が大であり、
前記ホルダは、像側に位置する筒状の第１レンズ保持部と、該第１レンズ保持部より物体側に位置し、前記第１レンズ保持部より外径が大の筒状の第２レンズ保持部と、を備えていることを特徴とする請求項１に記載の広角レンズユニット。
【請求項３】
前記複数のレンズのいずれかのレンズ間には、前記調芯レンズに対して光軸方向の付勢力を印加する板状バネが配置されていることを特徴とする請求項１または２に記載の広角レンズユニット。
【請求項４】
前記像側レンズおよび前記物体側レンズの一方は、ガラスレンズであり、
前記ホルダは、前記ガラスレンズを内側に保持する第１ホルダ、および該第１ホルダを内側に保持する第２ホルダと、を備えていることを特徴とする請求項１乃至３の何れか一項に記載の広角レンズユニット。
【請求項５】
前記絞りは、前記第１ホルダに一体に形成されていることを特徴とする請求項４に記載の広角レンズユニット。
【請求項６】
前記一方のレンズは、前記像側レンズであることを特徴とする請求項４または５に記載の広角レンズユニット。
【請求項７】
前記ガラスレンズが前記調芯レンズであり、
前記第２ホルダには、前記光軸方向に対して直交する方向からみたときに、前記第１ホルダの少なくとも一部と重なる位置に前記調芯用開口部が形成されていることを特徴とする請求項４乃至６の何れか一項に記載の広角レンズユニット。
【請求項８】
前記第２ホルダは、像側に位置する第１筒部と、該第１筒部より物体側に位置し、前記第１筒部より外径が大の第２筒部と、を備え、
前記第１筒部に前記調芯用開口部が形成されていることを特徴とする請求項７に記載の広角レンズユニット。
【請求項９】
前記物体側レンズが前記調芯レンズであり、
前記第２ホルダは、像側に位置する第１筒部と、該第１筒部より物体側に位置し、前記物体側レンズの少なくとも一部が内側に位置する第２筒部と、を備え、
前記第２筒部に前記調芯用開口部が形成されていることを特徴とする請求項３または４に記載の広角レンズユニット。
【請求項１０】
前記第２ホルダは、前記第１筒部および前記第２筒部を備えた内側ホルダと、前記第２筒部の径方向外側に固定された外側ホルダと、を備え、
前記調芯用開口部は、前記外側ホルダによって径方向外側から塞がれていることを特徴とする請求項８に記載の広角レンズユニット。
【請求項１１】
前記第１ホルダは、前記ガラスレンズを保持する部分より像側に突出して当該第１ホルダより像側に位置するレンズを保持する像側筒部と、前記ガラスレンズを保持する部分より物体側に突出して当該第１ホルダより物体側に位置するレンズを保持する物体側筒部と、を備え、
前記物体側筒部には、前記光軸方向に対して直交する方向からみたときに、前記物体側レンズの少なくとも一部と重なる位置に前記調芯用開口部が形成されていることを特徴とする請求項４または５に記載の広角レンズユニット。
【請求項１２】
前記調芯用開口部は、前記第２ホルダによって径方向外側から塞がれていることを特徴とする請求項１１に記載の広角レンズユニット。
【請求項１３】
前記ホルダは、前記複数のレンズのうち、最も物体側に位置するレンズを保持する第３ホルダを備え、
前記第３ホルダには、前記第２ホルダの像側端部の外周面に形成された雄ねじに止められた雌ねじが形成されていることを特徴とする請求項４乃至１２のいずれか一項に記載の広角レンズユニット。
【発明の詳細な説明】
【技術分野】
【０００１】
本発明は、広角レンズユニットにおける調芯技術に関するものである。
【背景技術】
【０００２】
光軸方向に複数のレンズを設けたレンズユニットでは、レンズ同士の中心位置を合わせる調芯作業が行われるのが一般的である。かかる調芯作業を行うにあたっては、ホルダの側面に調芯用開口部を形成しておき、調芯用開口部から差し込んだ調芯ピン等によってレンズを所定位置に移動させた後、調芯用開口部から接着剤を注入し、レンズをホルダに接着固定する方法が提案されている（特許文献１、２参照）。
【先行技術文献】
【特許文献】
【０００３】
【特許文献１】特開２００２−２６７９１５号公報
【特許文献２】特開２００４−２４０３４５号公報
【発明の概要】
【発明が解決しようとする課題】
【０００４】
監視用途や車載用途で使用されるレンズユニットには、広角および高解像度が要求されている。このため、広角レンズユニットを構成するにあたっては、３群以上のレンズ群を組み合わせることによって、解像度および広角の双方の要求を満たしている。従って、特許文献１、２に記載の技術を適用して、広角レンズユニットの解像度を高めようとすると、複数のレンズの各々に調芯作業を繰り返し行う必要があるので、多大な手間がかかる。また、広角レンズユニットの場合、物体側に外径の大きなレンズを配置するため、ホルダの外径や肉厚が途中で切り換わる等、特殊な構造となる。このため、ホルダに対して、複数のレンズの各々に対応する複数個所に調芯用開口部を設けることが困難である。
【０００５】
以上の問題点に鑑みて、本発明の課題は、レンズに対する調芯を効率的に行うことができる広角レンズユニットを提供することにある。
【課題を解決するための手段】
【０００６】
上記課題を解決するために、本発明に係る広角レンズユニットは、光軸方向に配列された複数のレンズと、前記複数のレンズを内側に保持するホルダと、前記複数のレンズのいずれかのレンズ間に設けられた絞りと、を有し、前記複数のレンズのうち、前記絞りに物体側で隣り合う物体側レンズ、および前記絞りに像側で隣り合う像側レンズのうちの一方のレンズは、光軸に対して直交する方向に位置調整が行われる調芯レンズとされ、前記ホルダには、前記光軸方向に対して直交する方向からみたときに、前記調芯レンズの少なくとも一部と重なる位置に調芯用開口部が形成されていることを特徴とする。
【０００７】
本発明では、複数のレンズのうち、偏芯が解像度に及ぼす影響度（偏芯感度）が大きな２つのレンズ（絞りに物体側で隣り合う物体側レンズ、および絞りに像側で隣り合う像側レンズ）の一方を、光軸に対して直交する方向に位置調整が行われる調芯レンズとする。このため、調芯対象となるレンズが１つであるため、１回の調芯作業によって、高い解像度を得ることができる。また、光軸方向において絞りに近い箇所のみに調芯用開口部を設ければよいので、ホルダの形状等に起因して、光軸方向の複数個所に調芯用開口部を設けることが困難である場合でも、調芯用開口部を設ける個所を確保することができる。
【０００８】
本発明において、前記複数のレンズのうち、最も物体側に位置するレンズは、他のレン
ズより外径が大であり、前記ホルダは、像側に位置する筒状の第１レンズ保持部と、該第１レンズ保持部より物体側に位置し、前記第１レンズ保持部より外径が大の筒状の第２レンズ保持部と、を備えている構成を採用することができる。
【０００９】
本発明において、前記複数のレンズのいずれかのレンズ間には、前記調芯レンズに対して光軸方向の付勢力を印加する板状バネが配置されていることが好ましい。かかる構成によれば、複数のレンズを重ねて配置した状態でも調芯レンズが可動であるため、調芯工程を行うことができる。また、調芯後、調芯レンズを接着剤によって固定する場合でも、接着剤が硬化する間、調芯レンズは、板状バネによる付勢力に印加されているため、接着剤が硬化時に起因する接着剤のヒケによるレンズのズレが起きてしまうことを防止できる。
【００１０】
本発明において、前記像側レンズおよび前記物体側レンズの一方は、ガラスレンズであり、前記ホルダは、前記ガラスレンズを内側に保持する第１ホルダ、および該第１ホルダを内側に保持する第２ホルダと、を備えていることが好ましい。かかる構成によれば、ガラスレンズの外周部分にフランジ部を設けることができないという事情がある場合でも、第２ホルダは、第１ホルダを介してガラスレンズを保持することができる。
【００１１】
本発明において、前記絞りは、前記第１ホルダに一体に形成されていることが好ましい。かかる構成によれば、ガラスレンズの中心と絞りの中心とを光軸方向で重ねることが容易である。
【００１２】
本発明において、前記一方のレンズは、例えば、前記像側レンズである。
【００１３】
本発明において、前記ガラスレンズが前記調芯レンズであり、前記第２ホルダには、前記光軸方向に対して直交する方向からみたときに、前記第１ホルダの少なくとも一部と重なる位置に前記調芯用開口部が形成されている構成を採用することができる。ガラスレンズは、プラスチックレンズよりも高い屈折率の材料が用いられているため、偏芯が解像度に及ぼす影響度（偏芯感度）が大きいことから、ガラスレンズに調芯を行えば、調芯の効果が大きい。また、ガラスレンズを研磨レンズとした場合、プラスチックレンズよりも形状に対する制約が大きいので、調芯レンズとしにくいが、ガラスレンズが第１ホルダに保持されているので、調芯を行いやすい。
【００１４】
本発明において、前記第２ホルダは、像側に位置する第１筒部と、該第１筒部より物体側に位置し、前記第１筒部より外径が大の第２筒部と、を備え、前記第１筒部に前記調芯用開口部が形成されている構成を採用することができる。
【００１５】
本発明において、前記物体側レンズが前記調芯レンズであり、前記第２ホルダは、像側に位置する第１筒部と、該第１筒部より物体側に位置し、前記物体側レンズの少なくとも一部が内側に位置する第２筒部と、を備え、前記第２筒部に前記調芯用開口部が形成されている構成を採用してもよい。
【００１６】
この場合、前記第２ホルダは、前記第１筒部および前記第２筒部を備えた内側ホルダと、前記第２筒部の径方向外側に固定された外側ホルダと、を備え、前記調芯用開口部は、前記外側ホルダによって径方向外側から塞がれていることが好ましい。かかる構成によれば、水分等が調芯用開口部を介して内側に侵入することを抑制することができる。
【００１７】
本発明において、前記第１ホルダは、前記ガラスレンズを保持する部分より像側に突出して当該第１ホルダより像側に位置するレンズを保持する像側筒部と、前記ガラスレンズを保持する部分より物体側に突出して当該第１ホルダより物体側に位置するレンズを保持する物体側筒部と、を備え、前記物体側筒部には、前記光軸方向に対して直交する方向か
らみたときに、前記物体側レンズの少なくとも一部と重なる位置に前記調芯用開口部が形成されている構成を使用することができる。かかる構成によれば、第２ホルダを用いない状態で調芯を行うことができる。
【００１８】
本発明において、前記調芯用開口部は、前記第２ホルダによって径方向外側から塞がれていることが好ましい。かかる構成によれば、水分等が調芯用開口部を介して内側に侵入することを抑制することができる。
【００１９】
本発明において、前記ホルダは、前記複数のレンズのうち、最も物体側に位置するレンズを保持する第３ホルダを備え、前記第３ホルダには、前記第２ホルダの像側端部の外周面に形成された雄ねじに止められた雌ねじが形成されていることが好ましい。かかる構成によれば、最も物体側に位置するレンズについては、外径が大きい等の理由により調芯工程を行いにくいが、ねじにより固定する構成であれば、調芯作業を行わなくても、第２ホルダに対して同軸状に配置することができる。
【発明の効果】
【００２０】
本発明では、複数のレンズのうち、偏芯が解像度に及ぼす影響度（偏芯感度）が大きな２つのレンズ（絞りに物体側で隣り合う物体側レンズ、および絞りに像側で隣り合う像側レンズ）の一方を、光軸に対して直交する方向に位置調整が行われる調芯レンズとする。このため、調芯対象となるレンズが１つであるため、１回の調芯作業によって、高い解像度を得ることができる。また、光軸方向において絞りに近い箇所のみに調芯用開口部を設ければよいので、ホルダの形状等に起因して、光軸方向の複数個所に調芯用開口部を設けることが困難である場合でも、調芯用開口部を設ける個所を確保することができる。
【図面の簡単な説明】
【００２１】
【図１】本発明の実施の形態１に係る広角レンズユニットの説明図である。
【図２】本発明を適用した広角レンズユニットの調芯工程でモニターしたＭＴＦの説明図である。
【図３】本発明の実施の形態２に係る広角レンズユニットの説明図である。
【図４】本発明の実施の形態３に係る広角レンズユニットの説明図である。
【発明を実施するための形態】
【００２２】
図面を参照して、本発明を適用した広角レンズユニットを説明する。
【００２３】
［実施の形態１］
（レンズユニットの構成）
図１は、本発明の実施の形態１に係る広角レンズユニットの説明図である。図１に示すように、本形態の広角レンズユニット１は、光軸Ｌ方向に複数のレンズが配置された広角レンズ１０と、広角レンズ１０を内側に保持する筒状のホルダ９とを有している。本形態において、ホルダ９は樹脂製である。広角レンズ１０の画角は１７０°以上、例えば、１９０°である。広角レンズ１０は、６群のレンズ群を備えている。より具体的には、広角レンズ１０は、物体側（被写体側／前側）から順に、負のパワーを持つ第１レンズ群５１と、負のパワーを持つ第２レンズ群５２と、負のパワーを有する第３レンズ群５３と、正のパワーを有する第４レンズ群５４と、正のパワーを有する第５レンズ群５５と、正のパワーを有する第６レンズ群５６とを有している。
【００２４】
広角レンズ１０は計７枚のレンズを有している。より具体的には、第１レンズ群５１は、負のパワーをもつレンズ１１（単レンズ）からなり、第２レンズ群５２は、負のパワーをもつレンズ１２（単レンズ）からなり、第３レンズ群５３は、負のパワーをもつレンズ１３（単レンズ）からなる。第４レンズ群５４は、正のパワーをもつレンズ１４（単レン
ズ）からなり、第５レンズ群５５は、正のパワーをもつレンズ１５（単レンズ）からなる。第６レンズ群５６は、負のパワーをもつレンズ１６と正のパワーをもつレンズ１７との接合レンズからなる。
【００２５】
本形態において、レンズ１１、１５は、ガラスレンズからなり、レンズ１２、１３、１４、１６、１７はプラスチックレンズからなる。
【００２６】
複数のレンズ１１〜１７の外径の大小関係は、以下の式
レンズ１１＞レンズ１２、１３、１４＞レンズ１６＞レンズ１７＞レンズ１５
に示す通りであり、最も物体側に位置するレンズ１１は、他のレンズより外径が大である。かかる形状に対応して、ホルダ９は、像側Ｌ２に位置する筒状の第１レンズ保持部９ａと、第１レンズ保持部９ａより物体側Ｌ１に位置する筒状の第２レンズ保持部９ｂとを備えており、第２レンズ保持部９ｂの外径は、第１レンズ保持部９ａの外径より大になっている。
【００２７】
広角レンズユニット１は、第４レンズ群５４と第５レンズ群５５との間（レンズ１４とレンズ１５との間）に絞り２１を有しており、第６レンズ群５６より像側Ｌ２に赤外線カットフィルタ２２を有している。また、広角レンズユニット１は、第４レンズ群５４と第５レンズ群５５との間（レンズ１４とレンズ１５との間（レンズ１４と絞り２１との間））に円環状の板状バネ２３を有している。板状バネ２３は、光軸Ｌ方向に圧縮された状態にあり、光軸Ｌ方向に付勢力を発揮する。
【００２８】
（ホルダ９の構成）
ホルダ９は、以下に説明する筒状の第１ホルダ４０、筒状の第２ホルダ６０、および筒状の第３ホルダ３０を備えている。
【００２９】
第１ホルダ４０は、物体側Ｌ１に位置する円環状の板状部４１と、板状部４１から像側Ｌ２に突出した円筒状の内側筒部４２と、内側筒部４２より径方向の外側で板状部４１から像側Ｌ２に突出した円筒状の外側筒部４３とを有しており、外側筒部４３の像側Ｌ２の端部は、内側筒部４２の像側Ｌ２の端部より像側Ｌ２に突出している。板状部４１の中央には、内側筒部４２の内径より小さな内径の穴４９が形成されており、かかる穴４９によって、絞り２１が形成されている。穴４９の内面は、像側Ｌ２から物体側Ｌ１に向けて穴４９を連続的に縮径させるテーパ面になっている。
【００３０】
かかる第１ホルダ４０において、ガラスレンズからなるレンズ１５は、内側筒部４２の内側に配置されており、内側筒部４２の像側Ｌ２の端部に対する熱溶着によって、内側筒部４２の像側Ｌ２の端部と板状部４１との間に保持される。この状態で、レンズ１５の外周面は、内側筒部４２の内周面に接している。なお、図１において、内側筒部４２は、熱溶着前の形状で表されている。
【００３１】
第２ホルダ６０は、像側Ｌ２に位置する円筒状の第１筒部６１と、第１筒部６１より物体側Ｌ１に位置する円筒状の第２筒部６２とを有している。第２筒部６２の外径は、第１筒部６１の外径より大であり、第２ホルダ６０の外周面には、第１筒部６１と第２筒部６２との境界部分に像側Ｌ２に向く段部６６が形成されている。また、第２筒部６２の内径は、第１筒部６１の内径より大であり、第２ホルダ６０の内周面には、第１筒部６１と第２筒部６２との境界部分に物体側Ｌ１に向く段部６７が形成されている。また、第１筒部６１の内周面には、物体側Ｌ１に向く段部６８が形成されている。
【００３２】
このように構成した第２ホルダ６０において、第１筒部６１の像側Ｌ２の端部には赤外線カットフィルタ２２が接着等の方法で固定され、第１筒部６１の内側には、第６レンズ
群５６が収容されている。第６レンズ群５６は、レンズ１６の外周側フランジ部の像側Ｌ２の面が段部６８に当接している。また、第１筒部６１の内径は、レンズ１６の外径よりも、わずかに小か、等しいか、わずかに大であり、レンズ１６（第６レンズ群５６）の光軸Ｌに対して直交する方向の位置は、第１筒部６１の内周面によって規定されている。
【００３３】
第１筒部６１と第２筒部６２との境界部分の内側には、レンズ１５を保持する第１ホルダ４０が収容されており、第１ホルダ４０の外側筒部４３の像側Ｌ２の端部は、レンズ１６の外周側フランジ部の物体側Ｌ１の面に当接している。また、外側筒部４３の像側Ｌ２の端部と第１筒部６１の内周面との間にはわずかな隙間が介在している。従って、第１ホルダ４０は、光軸Ｌに対して直交する方向に移動可能である。
【００３４】
第２筒部６２の内側には、像側Ｌ２から物体側Ｌ１に向かって、レンズ１４、レンズ１３およびレンズ１２が順に重ねて収容されている。レンズ１４、レンズ１３およびレンズ１２は、外周側フランジ部同士が重なった状態にあり、レンズ１４の外周側フランジ部の像側Ｌ２の面は、段部６７に当接している。第２筒部６２の内径は、レンズ１４の外径、レンズ１３の外径、およびレンズ１２の外径より、わずかに小か、等しいか、わずかに大であり、レンズ１４、レンズ１３およびレンズ１２の光軸Ｌに対して直交する方向の位置は、第２筒部６２の内周面によって規定されている。
【００３５】
第２筒部６２の外周面には雄ねじ６９が形成され、第２筒部６２の物体側Ｌ１の端面には周溝６５が形成されている。また、レンズ１４、１５の間では、第１ホルダ４０とレンズ１４との間に板状バネ２３が配置されている。板状バネ２３は、光軸Ｌ方向で圧縮された状態にあり、光軸Ｌ方向の付勢力を発揮している。
【００３６】
第３ホルダ３０は、第２ホルダ６０の第２筒部６２に対して径方向外側で重なる円筒状の筒部３１と、筒部３１の物体側Ｌ１の端部に形成された円環状の枠部３２とを備えており、内側にレンズ１１を保持している。本形態では、レンズ１１の外周部分には、物体側Ｌ１に向く環状の段部１１０が形成されており、段部１１０が第３ホルダ３０の枠部３２に像側Ｌ２から当接している。本形態では、筒部３１の内周面には、第２ホルダ６０の第２筒部６２の外周面に形成された雄ねじ６９に止められた雌ねじ３９が形成されている。
【００３７】
従って、第３ホルダ３０の雌ねじ３９に筒部３１の雄ねじ６９を締めこむことにより、レンズ１１は、レンズ１２に押圧され、レンズ１２と第３ホルダ３０とによって保持されている。この状態で、レンズ１１は、レンズ１２〜１４を像側Ｌ２に押圧し、その結果、板状バネ２３は、光軸Ｌ方向で圧縮された状態となる。その際、板状バネ２３は、光軸Ｌ方向の付勢力を発揮し、レンズ１５を保持する第１ホルダ４０およびレンズ１６を段部６８に向けて弾性をもって押圧する。
【００３８】
（調芯用開口部）
このように構成した広角レンズユニット１において、本形態では、絞り２１に物体側Ｌ１で隣り合うレンズ１４（物体側レンズ）、および絞り２１に像側Ｌ２で隣り合うレンズ１５（像側レンズ）のうち、レンズ１５（像側レンズ）が、光軸Ｌに直交する方向の位置調整が行われる調芯レンズである。ここで、レンズ１５は、第１ホルダ４０に保持されていることから、調芯の際、レンズ１５は、第１ホルダ４０とともに光軸Ｌに直交する方向の位置調整が行われる。
【００３９】
このため、ホルダ９のうち、第２ホルダ６０の第１筒部６１には、光軸Ｌに対して直交する方向からみたときに、第１ホルダ４０の少なくとも一部と重なる位置に調芯用開口部９１が形成されている。本形態において、調芯用開口部９１は、光軸Ｌに対して直交する方向からみたときに、第１ホルダ４０の外側筒部４３において像側Ｌ２に位置する部分と
重なっている。かかる調芯用開口部９１は周方向の複数個所に形成されている。本形態において、調芯用開口部９１は、周方向において９０°間隔の４個所に形成されている。
【００４０】
（広角レンズユニット１の製造方法および調芯工程）
図２は、本発明を適用した広角レンズユニット１の調芯工程でモニターしたＭＴＦの説明図である。
【００４１】
本形態の広角レンズユニット１を製造するには、まず、第２ホルダ６０の内側に対して、第６レンズ群５６、レンズ１５を保持した第１ホルダ４０、板状バネ２３、レンズ１４、レンズ１３、およびレンズ１２を順に収容する。
【００４２】
次に、第２ホルダ６０の第２筒部６２の物体側Ｌ１の端面に形成された周溝６５にゴム製のＯリング９９を装着した後、レンズ１１を内側に保持した第３ホルダ３０を第２ホルダ６０の物体側Ｌ１の端部に結合させる。より具体的には、第３ホルダ３０の筒部３１の内周面に形成された雌ねじ３９を第２ホルダ６０の第２筒部６２の外周面に形成された雄ねじ６９に止める。その際、第３ホルダ３０を締め込むことで、レンズ１１〜１７の光軸Ｌ方向の位置を適正に設定する。
【００４３】
このように組み立てた状態で、Ｏリング９９は、レンズ１１と第２ホルダ６０との間で圧縮され、第２ホルダ６０と第３ホルダ３０との間がＯリング９９によって封止される。また、第１ホルダ４０とレンズ１４との間では、板状バネ２３が光軸Ｌ方向で圧縮され、光軸Ｌ方向の付勢力を発揮する。このため、第６レンズ群５６および第１ホルダ４０は、第２ホルダ６０の段部６８を基準に光軸Ｌ方向で位置決めされる。また、レンズ１２、１３、１４は、段部６７とレンズ１１とに挟まれて光軸Ｌ方向で位置決めされる。
【００４４】
本形態の広角レンズユニット１において、レンズ１１〜１４、１６、１７の中心の光軸Ｌに直交する方向の位置は、第２ホルダ６０を基準に自動的に設定される。具体的には、レンズ１１の中心の光軸Ｌに直交する方向の位置は、第２ホルダ６０の雄ねじ６９と第３ホルダ３０の雌ねじ３９とによって規定される。また、レンズ１２〜１４、１６、１７は、プラスチックレンズであるため、中心と外周面との位置関係は、成形時に適正に設定されるため、レンズ１２〜１４、１６、１７を第２ホルダ６０の内側に収容した時点で、レンズ１２〜１４、１６、１７の中心の光軸Ｌに直交する方向の位置は、第２ホルダ６０の内周面を基準に規定される。また、本形態では、レンズ１１〜１４、１６、１７に偏芯が存在しても、かかる偏芯を相殺するように、以下に説明する調芯工程によってレンズ１５の位置を調整し、レンズ１１〜１４、１６、１７の偏芯を吸収する。
【００４５】
より具体的には、広角レンズユニット１を組み立てた後、レンズ１５のみに対して、光軸Ｌに直交する方向の位置を調整する調芯工程を行う。より具体的には、第２ホルダ６０に形成した調芯用開口部９１から調芯ピン等の治具を差し込んで、第１ホルダ４０を光軸Ｌに直交する方向に押圧する。ここで、第１ホルダ４０は、板状バネ２３の付勢力によって付勢されているとともに、第１ホルダ４０の外側筒部４３と第２ホルダ６０の第１筒部６１の内周面との間にはわずかな隙間が介在しているため、第１ホルダ４０は、レンズ１５とともに光軸Ｌに直交する方向に移動する。
【００４６】
かかる調芯工程の際、レンズ１１の側からモニター光を入射させながら、像側Ｌ２でモニター光を検出し、解像度、画角、光量分布等のモニター結果に基づいて、第１ホルダ４０の位置を調整する。
【００４７】
本形態では、図２に示すように、デフォーカスを設計中心から所定量前後に振って、ＭＴＦ（Modulation Transfer Function）を測定する。その結果、レンズ１１〜１７の全体
に偏芯がある場合、中心画角のＭＴＦ曲線でのＭＴＦピークとなるデフォーカス位置に対して、周辺部分（周辺画角θＸ＋、θＸ−、θＹ＋、周辺画角θＹ−）のＭＴＦピークとなるデフォーカス位置がずれることになる。
【００４８】
そこで、図２に示す偏芯量に基づいて、第１ホルダ４０の光軸Ｌに対して直交する方向の位置（レンズ１５の光軸Ｌに対して直交する方向の位置）を調整する。例えば、図２に示す結果に基づいて、第１ホルダ４０に対する光軸Ｌに直交するＸ方向の補正量Δｘと、第１ホルダ４０に対する光軸ＬおよびＸ方向に直交するＹ方向の補正量Δｙとを求め、かかる補正量Δｘ、Δｙに基づいて、第１ホルダ４０をＸ方向およびＹ方向に移動させる。
【００４９】
あるいは、第１ホルダ４０をＸ方向に一定量移動させた後、再び、ＭＴＦ曲線を得て、その結果に基づいて、第１ホルダ４０の移動方向と移動量でＭＴＦ曲線が補正される関係を把握した上で、必要な量だけ、Ｘ方向に移動させる。また、第１ホルダ４０をＹ方向に一定量移動させた後、再び、ＭＴＦ曲線を得て、その結果に基づいて、第１ホルダ４０の移動方向と移動量でＭＴＦ曲線が補正される関係を把握した上で、第１ホルダ４０を必要な量だけ、Ｙ方向に移動させる。
【００５０】
このようにして調芯工程を行った後、調芯用開口部９１から、第１ホルダ４０と第２ホルダ６０との間に接着剤を供給し、その後、接着剤を硬化させる。かかる接着剤としては、例えば、光硬化性の接着剤が用いられる。その結果、第１ホルダ４０と第２ホルダ６０とは、径方向外側から調芯用開口部９１を介して見える位置に設けられた接着剤によって固定される。その結果、広角レンズユニット１が完成する。
【００５１】
このような構成の広角レンズユニット１を監視装置や車両に搭載する際、ホルダ９の像側Ｌ２の第１レンズ保持部９ａと物体側Ｌ１の第２レンズ保持部９ｂとの間に形成された段部６６にＯリングやパッキン等を配置し、像側Ｌ２への水分等の侵入を防止した状態とする。
【００５２】
（本形態の主な効果）
以上説明したように、本形態の広角レンズユニット１では、複数のレンズ１１〜１７のうち、偏芯が解像度に及ぼす影響度（偏芯感度）が大きな２つのレンズ（絞り２１に物体側Ｌ１で隣り合う物体側レンズ、および絞り２１に像側Ｌ２で隣り合う像側レンズ）の一方のレンズ１５を、光軸Ｌと直交する方向に位置調整が行われる調芯レンズとする。このため、調芯対象となるレンズが１つであるため、１回の調芯作業によって、高い解像度を得ることができる。また、光軸Ｌ方向において絞り２１に近い箇所のみに調芯用開口部９１を設ければよいので、ホルダ９の形状等に起因して、光軸Ｌ方向の複数個所に調芯用開口部を設けることが困難である場合でも、調芯用開口部９１を設ける個所を確保することができる。また、レンズ１５（調芯レンズ）は、径方向外側から調芯用開口部９１を介して見える位置に設けられた接着剤によりホルダ９に固定されている。すなわち、調芯用開口部９１を利用して接着剤の塗布や注入を行う。このため、調芯用開口部９１の他に接着剤の塗布用の開口部や注入用の開口部を設ける必要がない。
【００５３】
また、本形態では、全てのレンズ１１〜１７が存在する状態でＭＴＦを測定し、その結果に基づいて、レンズ１５の調芯を行う。このため、レンズ１５以外のレンズ１１〜１４、１６、１７の偏芯をレンズ１５の調芯によって相殺することができる。従って、１回の調芯工程によって、高い解像度を得ることができる。
【００５４】
また、本形態では、ガラスレンズからなるレンズ１５に調芯を行う。ガラスレンズは、プラスチックレンズよりも高い屈折率の材料が用いられているため、偏芯が解像度に及ぼす影響度（偏芯感度）が大きいことから、ガラスレンズ（レンズ１５）に調芯を行えば、
調芯の効果が大きい。
【００５５】
また、ホルダ９は、ガラスレンズからなるレンズ１５を内側に保持する第１ホルダ４０と、第１ホルダ４０を内側に保持する第２ホルダ６０とを備えている。このため、ガラスレンズ（レンズ１５）を研磨レンズとした場合、プラスチックレンズよりも形状に対する制約が大きいので、調芯レンズとしにくいが、ガラスレンズが第１ホルダ４０に保持されているので、ガラスレンズの外周部分にフランジ部を設けることができない場合でも、レンズ１５に対する調芯を行うことができる。
【００５６】
また、レンズ１４、１５の間には、光軸方向に付勢力を発揮する板状バネ２３が配置されており、板状バネ２３は、レンズ１５（調芯レンズ）に対して光軸Ｌ方向の付勢力を印加している。このため、複数のレンズ１１〜１５を重ねて配置した状態でもレンズ１５が可動であるので、調芯工程を行うことができる。また、調芯後、第１ホルダ４０と第２ホルダ６０との間に供給した接着剤によって第１ホルダ４０を固定する場合でも、接着剤が硬化するまでの間、第１ホルダ４０は、板状バネ２３による付勢力に印加されているため、接着剤が硬化時に起因する接着剤のヒケによる第１ホルダのズレが起きてしまうことを防止できる。
【００５７】
また、調芯用開口部９１は、第２ホルダ６０において像側Ｌ２に位置する第１筒部６１に形成されている。このため、ホルダ９の像側Ｌ２の第１レンズ保持部９ａと物体側Ｌ１の第２レンズ保持部９ｂとの間に形成された段部６６にＯリングやパッキン等を配置して広角レンズユニット１を監視装置や車両に搭載した際、水分等が調芯用開口部９１からホルダ９の内側に侵入しないという利点がある。
【００５８】
［実施の形態２］
（全体構成）
図３は、本発明の実施の形態２に係る広角レンズユニットの説明図であり、図３（ａ）、（ｂ）は、広角レンズユニットの断面図、および調芯工程の説明図である。なお、本形態の基本的な構成は、実施の形態１と同様であるため、共通する部分には同一の符号を付して図示し、それらの詳細な説明を省略する。
【００５９】
図３（ａ）に示すように、本形態の広角レンズユニット１も、実施の形態１と同様、光軸Ｌ方向に複数のレンズ１１〜１７が配置された広角レンズ１０と、広角レンズ１０を内側に保持する樹脂製のホルダ９とを有している。広角レンズ１０の画角は１７０°以上、例えば、１９０°である。本形態においても、実施の形態１と同様、レンズ１１、１５は、ガラスレンズからなり、レンズ１２、１３、１４、１６、１７はプラスチックレンズからなる。
【００６０】
ここで、複数のレンズ１１〜１７の外径の大小関係は、以下の式
レンズ１１＞レンズ１２、１３＞レンズ１６＞レンズ１７＞レンズ１４＞レンズ１５
に示す通りであり、最も物体側に位置するレンズ１１は、他のレンズより外径が大である。かかる形状に対応して、ホルダ９は、像側Ｌ２に位置する筒状の第１レンズ保持部９ａと、第１レンズ保持部９ａより物体側Ｌ１に位置する筒状の第２レンズ保持部９ｂとを備えており、第２レンズ保持部９ｂの外径は、第１レンズ保持部９ａの外径より大になっている。
【００６１】
（ホルダ９の構成）
ホルダ９は、以下に説明する筒状の第１ホルダ４０、筒状の第２ホルダ６０、および筒状の第３ホルダ３０を備えている。また、第２ホルダ６０は、内側ホルダ７０と、内側ホルダ７０の径方向外側に固定された外側ホルダ８０とを備えている。
【００６２】
まず、第１ホルダ４０は、実施の形態１と同様、物体側Ｌ１に位置する円環状の板状部４１と、板状部４１から像側Ｌ２に突出した円筒状の内側筒部４２と、内側筒部４２より径方向の外側で板状部４１から像側Ｌ２に突出した円筒状の外側筒部４３とを有しており、外側筒部４３の像側Ｌ２の端部は、内側筒部４２の像側Ｌ２の端部より像側Ｌ２に突出している。板状部４１の中央には、内側筒部４２の内径より小さな内径の穴４９が形成されており、かかる穴４９によって、絞り２１が形成されている。第１ホルダ４０において、ガラスレンズからなるレンズ１５は、内側筒部４２の内側に配置され、内側筒部４２の像側Ｌ２の端部に対する熱溶着によって、レンズ１５は、内側筒部４２の像側Ｌ２の端部と板状部４１との間に保持される。この状態で、レンズ１５の外周面は、内側筒部４２の内周面に接している。なお、図３において、内側筒部４２は、熱溶着前の形状で表されている。
【００６３】
本形態では、第１ホルダ４０の板状部４１の物体側Ｌ１の面には、絞り２１を中心とする円形の凹部４４が形成されており、かかる凹部４４にレンズ１４が配置されている。レンズ１４の厚さは、凹部４４の深さより小であり、レンズ１４の物体側Ｌ１は、凹部４４から物体側Ｌ１に突出していない。
【００６４】
ここで、凹部４４の底部とレンズ１４の外周側フランジ部との間には円環状の板状バネ２３が配置されている。板状バネ２３は、光軸Ｌ方向で圧縮された状態にあり、光軸Ｌ方向の付勢力を発揮する。なお、板状バネ２３は、レンズ１４とレンズ１３との間に配置されていてもよい。
【００６５】
第２ホルダ６０において、内側ホルダ７０は、像側Ｌ２の第１筒部６１と、第１筒部６１より物体側Ｌ１に位置する第２筒部６３とを有している。第２筒部６３の外径は、第１筒部６１の外径よりわずかに大であり、第２ホルダ６０の外周面には、第１筒部６１と第２筒部６３との境界部分に像側Ｌ２に向く段部６６が形成されている。第２筒部６３の内径は、第１筒部６１の内径と等しい。また、第１筒部６１の内周面には、物体側Ｌ１に向く段部６８が形成されている。
【００６６】
第２ホルダ６０において、内側ホルダ７０の第２筒部６３の外周面には円筒状の外側ホルダ８０が接着等の方法で固定されている。外側ホルダ８０の外周面には雄ねじ６９が形成され、外側ホルダ８０の物体側Ｌ１の端面には、内周縁に沿って環状段部６４が形成されている。
【００６７】
このように構成した内側ホルダ７０において、第１筒部６１の像側Ｌ２の端部には赤外線カットフィルタ２２が接着等の方法で固定され、第１筒部６１の内側には、第６レンズ群５６が収容されている。ここで、第６レンズ群５６は、レンズ１６の外周側フランジ部の像側Ｌ２の面が段部６８に当接している。また、第１筒部６１の内径は、レンズ１６の外径よりもわずかに小か、等しいか、わずかに大であり、レンズ１６（第６レンズ群５６）の光軸Ｌに対して直交する方向の位置は、第１筒部６１の内周面によって規定されている。
【００６８】
第１筒部６１と第２筒部６３との境界部分の内側には、レンズ１５を保持する第１ホルダ４０が収容されており、第１ホルダ４０の外側筒部４３の像側Ｌ２の端部は、レンズ１６の外周側フランジ部の物体側Ｌ１の面に当接している。また、第１筒部６１の内径は、第１ホルダ４０の外側筒部４３の外周よりも、わずかに小か、等しいか、わずかに大であり、第１ホルダ４０の中心軸に対して直交する方向の位置は、第１筒部６１の内周面によって規定されている。
【００６９】
第２筒部６３の内側には、像側Ｌ２から物体側Ｌ１に向かって、レンズ１４、レンズ１３およびレンズ１２が順に重ねて収容されており、レンズ１４は、板ばね２３とともに第１ホルダ４０の板状部４１の物体側Ｌ１の面に形成された凹部４４に配置されている。第１ホルダ４０の物体側Ｌ１には、凹部４４の外周側で物体側Ｌ１に突出した凸部４６が形成されており、凸部４６は、レンズ１３の外周側フランジ部に接している。この状態で、レンズ１４は、板ばね２３でレンズ１３の外周側フランジ部に押圧され、レンズ１４の外周側フランジ部とレンズ１３の外周側フランジ部とが当接している。第２筒部６３の内径は、レンズ１３の外径およびレンズ１２の外径よりわずかに小か、等しいか、わずかに大であり、レンズ１３およびレンズ１２の光軸Ｌに対して直交する方向の位置は、第２筒部６３の内周面によって規定されている。また、レンズ１２の外周側端面は、内側ホルダ７０の被写体側端面で熱溶着され、レンズ１２が像側に向けて押圧されて固定される。これに対して、レンズ１４は、外径が凹部４４の内径よりわずかに小さく、光軸Ｌに対して直交する方向に移動可能である。
【００７０】
第３ホルダ３０は、第２ホルダ６０の外側ホルダ８０に対して径方向外側で重なる円筒状の筒部３１と、筒部３１の物体側Ｌ１の端部に形成された円環状の枠部３２とを備えており、内側にレンズ１１を保持する。レンズ１１の外周部分には、物体側Ｌ１に向く環状の段部１１０が形成されており、段部１１０が第３ホルダ３０の枠部３２に像側Ｌ２から当接している。また、筒部３１の内周面には、第２ホルダ６０の外側ホルダ８０の外周面に形成された雄ねじ６９に止められた雌ねじ３９が形成されている。
【００７１】
（調芯用開口部）
このように構成した広角レンズユニット１において、本形態では、絞り２１に物体側Ｌ１で隣り合うレンズ１４（物体側レンズ）、および絞り２１に像側Ｌ２で隣り合うレンズ１５（像側レンズ）のうち、レンズ１４（物体側レンズ）が、光軸Ｌに直交する方向の位置調整が行われる調芯レンズである。
【００７２】
このため、ホルダ９のうち、第２ホルダ６０の内側ホルダ７０の第２筒部６３、および第１ホルダ４０において凸部４６と周方向で隣り合う部分には、光軸Ｌに対して直交する方向からみたときにレンズ１４の少なくとも一部と重なる位置に調芯用開口部９２が形成されており、かかる調芯用開口部９２は、第２ホルダ６０の外側ホルダ８０によって径方向外側から塞がれている。本形態において、調芯用開口部９２は、周方向の複数個所に形成されている。本形態において、調芯用開口部９２は、周方向において９０°間隔の４個所に形成されている。
【００７３】
（広角レンズユニット１の製造方法および調芯工程）
本形態の広角レンズユニット１を製造するには、図３（ｂ）に示すように、第２ホルダ６０の内側ホルダ７０の内側に対して、第６レンズ群５６、レンズ１５を保持した第１ホルダ４０、板状バネ２３、レンズ１４、レンズ１３、およびレンズ１２を順に収容する。
【００７４】
その際、内側ホルダ７０に収容された第６レンズ群５６、レンズ１５を保持した第１ホルダ４０、板状バネ２３、レンズ１４、レンズ１３は、レンズ１２によって押圧される。その結果、第１ホルダ４０とレンズ１４との間では、板状バネ２３が光軸Ｌ方向で圧縮され、光軸Ｌ方向の付勢力を発揮する。このため、第６レンズ群５６および第１ホルダ４０は、第２ホルダ６０の段部６８を基準に光軸Ｌ方向で位置決めされる。次に、レンズ１１と同様なレンズ構成を有する透光性の治具９０を、中心軸を光軸に合致させた状態で光軸Ｌ方向がレンズ１１と同じ位置になるよう位置決めさせる。
【００７５】
次に、レンズ１４のみに対して、光軸Ｌに直交する方向の位置を調整する調芯工程を行う。より具体的には、内側ホルダ７０に形成した調芯用開口部９２から調芯ピン等の治具
を差し込んで、レンズ１４を光軸Ｌに直交する方向に押圧する。ここで、レンズ１４は、板状バネ２３の付勢力によって固定されているとともに、レンズ１４と凹部４４の内周面との間にはわずかな隙間が介在しているため、レンズ１４は、光軸Ｌに直交する方向に移動する。
【００７６】
かかる調芯工程の際も、実施の形態１と同様、治具９０の側からモニター光を入射させながら、像側Ｌ２でモニター光を検出し、ＭＴＦを測定する。そして、ＭＴＦの測定結果に基づいて、レンズ１４をＸ方向およびＹ方向に移動させる。
【００７７】
このようにして調芯工程を行った後、調芯用開口部９２から、レンズ１４と内側ホルダ７０との間に接着剤を供給し、その後、接着剤を硬化させる。その結果、レンズ１４と内側ホルダ７０とは、径方向外側から調芯用開口部９２を介して見える位置に設けられた接着剤によって固定される。
【００７８】
次に、図３（ａ）に示すように、内側ホルダ７０の第２筒部６３の外周面に円筒状の外側ホルダ８０を接着等の方法で固定する。その結果、調芯用開口部９２は、外側ホルダ８０によって径方向外側から塞がれる。その後、レンズ１１を内側に保持した第３ホルダ３０を第２ホルダ６０の物体側Ｌ１の端部に結合させる。より具体的には、第３ホルダ３０の筒部３１の内周面に形成された雌ねじ３９に外側ホルダ８０の外周面に形成された雄ねじ６９を締め付けてレンズ１１を光軸Ｌ方向の像側Ｌ２に押圧する。その結果、レンズ１１は像側Ｌ２でホルダ６０の被写体側端面か、レンズ１２の外周側フランジ部のいずれかに当接し、固定される。その結果、広角レンズユニット１が完成する。その際、環状段部６４にＯリング９９を装着しておく。
【００７９】
かかる広角レンズユニット１において、Ｏリング９９は、レンズ１１と第２ホルダ６０（外側ホルダ８０）との間で圧縮され、レンズ１１と第２ホルダ６０との間がＯリング９９によって封止される。また、第１ホルダ４０とレンズ１４との間では、板状バネ２３が光軸Ｌ方向で圧縮され、光軸Ｌ方向の付勢力を発揮する。このため、第６レンズ群５６および第１ホルダ４０は、第２ホルダ６０の段部６８を基準に光軸Ｌ方向で位置決めされる。
【００８０】
このような構成の広角レンズユニット１を監視装置や車両に搭載する際、ホルダ９の像側Ｌ２の第１レンズ保持部９ａと物体側Ｌ１の第２レンズ保持部９ｂとの間に形成された段部６６にＯリングやパッキン等を配置し、像側Ｌ２への水分等の侵入を防止した状態とする。
【００８１】
（本形態の主な効果）
以上説明したように、本形態の広角レンズユニット１でも、実施の形態１と同様、複数のレンズ１１〜１７のうち、偏芯が解像度に及ぼす影響度（偏芯感度）が大きな２つのレンズ（絞り２１に物体側Ｌ１で隣り合う物体側レンズ、および絞り２１に像側Ｌ２で隣り合う像側レンズ）の一方のレンズ（レンズ１４）を、光軸Ｌと直交する方向に位置調整が行われる調芯レンズとする。このため、調芯対象となるレンズが１つであるため、１回の調芯作業によって、高い解像度を得ることができる等、実施の形態１と同様な効果を奏する。
【００８２】
また、本形態では、レンズ１１を除くレンズ１２〜１７が存在する状態でＭＴＦを測定し、その結果に基づいて、レンズ１４の調芯を行う。このため、レンズ１１、１４以外のレンズ１２、１３、１５〜１７の偏芯をレンズ１４の調芯によって相殺することができる。このため、少ない回数の調芯作業によって、高い解像度を得ることができる。また、レンズ１１は、偏芯の解像度に対する影響が小さいので、レンズ１１以外のレンズ１２〜１
７のＭＴＦの測定結果に基づいて調芯を行っても高い解像度を得ることができる。
【００８３】
また、本形態では、第２ホルダ６０を内側ホルダ７０と外側ホルダ８０とに分割したため、内側ホルダ７０のうち、外側ホルダ８０が径方向外側から被さる第２筒部６３に調芯用開口部９２を形成することができる。このため、第２ホルダ６０の物体側Ｌ１の端部に雄ねじ６９を形成する場合でも、調芯用開口部９２を形成する個所を確保することができる。また、調芯用開口部９２は、外側ホルダ８０によって径方向外側から塞がれる。このため、ホルダ９の像側Ｌ２の第１レンズ保持部９ａと物体側Ｌ１の第２レンズ保持部９ｂとの間に形成された段部６６にＯリングやパッキン等を配置して広角レンズユニット１を監視装置や車両に搭載した際、水分等が調芯用開口部９２からホルダ９の内側に侵入しないという利点がある。
【００８４】
［実施の形態３］
（全体構成）
図４は、本発明の実施の形態３に係る広角レンズユニットの説明図であり、図４（ａ）、（ｂ）は、広角レンズユニットの断面図、および調芯工程の説明図である。なお、本形態の基本的な構成は、実施の形態１、２と同様であるため、共通する部分には同一の符号を付して図示し、それらの詳細な説明を省略する。
【００８５】
図４（ａ）に示すように、本形態の広角レンズユニット１も、実施の形態１と同様、光軸Ｌ方向に複数のレンズ１１〜１７が配置された広角レンズ１０と、広角レンズ１０を内側に保持する樹脂製のホルダ９とを有している。広角レンズ１０の画角は１７０°以上、例えば、１９０°である。本形態においても、実施の形態１と同様、レンズ１１、１５は、ガラスレンズからなり、レンズ１２、１３、１４、１６、１７はプラスチックレンズからなる。
【００８６】
ここで、複数のレンズ１１〜１７の外径の大小関係は、実施の形態２と同様、以下の式
レンズ１１＞レンズ１２、１３＞レンズ１６＞レンズ１７＞レンズ１４＞レンズ１５
に示す通りであり、最も物体側に位置するレンズ１１は、他のレンズより外径が大である。かかる形状に対応して、ホルダ９は、像側Ｌ２に位置する筒状の第１レンズ保持部９ａと、第１レンズ保持部９ａより物体側Ｌ１に位置する筒状の第２レンズ保持部９ｂとを備えており、第２レンズ保持部９ｂの外径は、第１レンズ保持部９ａの外径より大になっている。
【００８７】
（ホルダ９の構成）
ホルダ９は、以下に説明する筒状の第１ホルダ４０、筒状の第２ホルダ６０、および筒状の第３ホルダ３０を備えている。第１ホルダ４０は、実施の形態１、２と同様、物体側Ｌ１に位置する円環状の板状部４１と、板状部４１から像側Ｌ２に突出した円筒状の内側筒部４２と、内側筒部４２より径方向の外側で板状部４１から像側Ｌ２に突出した円筒状の外側筒部４３とを有しており、外側筒部４３の像側Ｌ２の端部は、内側筒部４２の像側Ｌ２の端部より像側Ｌ２に突出している。板状部４１の中央には、内側筒部４２の内径より小さな内径の穴４９が形成されており、かかる穴４９によって、絞り２１が形成されている。第１ホルダ４０において、ガラスレンズからなるレンズ１５は、内側筒部４２の内側に配置され、内側筒部４２の像側Ｌ２の端部に対する熱溶着によって、レンズ１５は、内側筒部４２の像側Ｌ２の端部と板状部４１との間に保持される。この状態で、レンズ１５の外周面は、内側筒部４２の内周面に接している。なお、図４において、内側筒部４２は、熱溶着前の形状で表されている。
【００８８】
本形態では、第１ホルダ４０の板状部４１の物体側Ｌ１の面には、絞り２１を中心とする円形の凹部４４が形成されており、かかる凹部４４にレンズ１４が配置されている。レ
ンズ１４の厚さは、凹部４４の深さより小であり、レンズ１４の物体側Ｌ１の部分は、凹部４４から物体側Ｌ１に突出していない。また、凹部４４の底部とレンズ１４の外周側フランジ部との間には板状バネ２３が配置されている。板状バネ２３は、光軸Ｌ方向で圧縮された状態にあり、光軸Ｌ方向の付勢力を発揮する。
【００８９】
本形態において、レンズ１６の物体側Ｌ１の面には、外周部分に環状凹部１６０が形成されている。また、第１ホルダ４０において、外側筒部４３は、レンズ１６の物体側Ｌ１の面より像側Ｌ２に向けて突出し、環状凹部１６０内に嵌ってレンズ１６を保持している。このようにして、第１ホルダ４０には、外側筒部４３の像側Ｌ２の端部によって、レンズ１５（ガラスレンズ）を保持する部分より像側Ｌ２に突出して第１ホルダ４０より像側に位置するレンズ１６を保持する像側筒部４８が構成されている。
【００９０】
ここで、第１ホルダ４０は、板状部４１の外径が外側筒部４３の外径より大であり、板状部４１の凹部４４より径方向外側部分には、物体側Ｌ１に向けて突出する凸部４６が形成され、かかる凸部４６より外周側からは、物体側Ｌ１に向けて円筒状の物体側筒部４５が突出している。このため、凸部４６と物体側筒部４５との間には、物体側Ｌ１に向いた平面を有する段部４７が形成されている。物体側筒部４５の内側には、第１ホルダ４０より物体側Ｌ１に位置するレンズ１２、１３が保持されている。物体側筒部４５の内径は、レンズ１３の外径およびレンズ１２の外径よりもわずかに小か、等しいか、わずかに大であり、レンズ１３およびレンズ１２の光軸Ｌに対して直交する方向の位置は、物体側筒部４５の内周面によって規定されている。また、レンズ１３の外周側フランジ部は、段部４７の平面に当接し、光軸Ｌ方向で位置決めされている。また、レンズ１２の物体側Ｌ１側の外周端面は、内側ホルダ７０の被写体側端面で熱溶着され、レンズ１２が像側に向けて押圧されて固定される。
【００９１】
第２ホルダ６０は、像側Ｌ２の第１筒部６１と、第１筒部６１より物体側Ｌ１に位置する第２筒部６２とを有している。第２筒部６２の外径は、第１筒部６１の外径よりわずかに大であり、第２ホルダ６０の外周面には、第１筒部６１と第２筒部６２との境界部分に像側Ｌ２に向く段部６６が形成されている。第２筒部６２の内径は、第１筒部６１の内径より大きく、第２筒部６２の内周面には、物体側Ｌ１に向く段部６７が形成されている。また、第１筒部６１の内周面には、物体側Ｌ１に向く段部６８が形成されている。
【００９２】
第２ホルダ６０において、第２筒部６２の外周面には雄ねじ６９が形成され、第２筒部６２の物体側Ｌ１の端面には、内縁に沿って環状段部６４が形成されている。
【００９３】
このように構成した第２ホルダ６０の第１筒部６１の像側Ｌ２の端部には赤外線カットフィルタ２２が接着等の方法で固定され、第１筒部６１の内側には、第６レンズ群５６が収容されている。ここで、第６レンズ群５６は、レンズ１６の外周側フランジ部の像側Ｌ２の面が段部６８に当接している。また、第１筒部６１の内径は、レンズ１６の外径と等しいか、レンズ１６の外径よりわずかに小か、等しいか、わずかに大であり、レンズ１６（第６レンズ群５６）の光軸Ｌに対して直交する方向の位置は、第１筒部６１の内周面によって規定されている。
【００９４】
第１筒部６１と第２筒部６２との境界部分の内側には、レンズ１５を保持する第１ホルダ４０が収容されており、第１ホルダ４０の外側筒部４３の像側Ｌ２の端部（像側筒部４８）にはレンズ１６が保持されている。
【００９５】
第２筒部６２の内側には、第１ホルダ４０においてレンズ１２、１３を保持した物体側筒部４５が嵌っている。ここで、第２筒部６２の内径は、第１ホルダ４０の物体側筒部４５の外径よりわずかに小か、等しいか、わずかに大であり、第１ホルダ４０の光軸Ｌに対
して直交する方向の位置は、第２筒部６２の内周面によって規定されている。また、レンズ１４は、第１ホルダ４０の板状部４１の物体側Ｌ１の面に形成された凹部４４に配置されている。ここで、ホルダ４０の物体側Ｌ１の部分の段部４７は、凹部４４から物体側Ｌ１に突出しており、凸部４６（段部４７）がレンズ１３の外周側フランジ部と当接している。この状態で、レンズ１４は、板ばね２３でレンズ１３の外周側フランジ部に押圧され、レンズ１４の外周側フランジ部と、レンズ１３の外周側フランジ部とが当接している。
【００９６】
第３ホルダ３０は、第２ホルダ６０の外側ホルダ８０に対して径方向外側で重なる円筒状の筒部３１と、筒部３１の物体側Ｌ１の端部に形成された円環状の枠部３２とを備えており、内側にレンズ１１を保持する。本形態では、レンズ１１の外周側フランジ部は、ホルダ４０の物体側端面か、ホルダ６０の物体側端面か、あるいは、レンズ１２の外周側フランジ部のいずれかに当接し、レンズ１１の外周側フランジ部は、第３ホルダ３０の外周部分において物体側Ｌ１に向く環状の段部１１０と当接し、この状態で、第３ホルダ３０の筒部３１の内周面に設けられた雌ねじ６９を、第２ホルダ６０の第２筒部６２の外周面に形成された雄ねじ６９に締め付けることで、レンズ１１が固定されている。
【００９７】
（調芯用開口部）
このように構成した広角レンズユニット１において、本形態では、絞り２１に物体側Ｌ１で隣り合うレンズ１４（物体側レンズ）、および絞り２１に像側Ｌ２で隣り合うレンズ１５（像側レンズ）のうち、レンズ１４（物体側レンズ）が、光軸Ｌに直交する方向の位置調整が行われる調芯レンズである。
【００９８】
このため、ホルダ９のうち、第１ホルダ４０の物体側筒部４５には、凸部４６に対して周方向にずれた個所に、光軸Ｌに対して直交する方向からみたときにレンズ１４の少なくとも一部と重なる位置に調芯用開口部９３が形成されており、かかる調芯用開口部９３は、第２ホルダ６０の第２筒部６２によって径方向外側から塞がれている。本形態において、調芯用開口部９３は、周方向の複数個所に形成されている。本形態において、調芯用開口部９３は、周方向において９０°間隔の４個所に形成されている。
【００９９】
（広角レンズユニット１の製造方法および調芯工程）
本形態の広角レンズユニット１を製造するには、図４（ｂ）に示すように、第１ホルダ４０の内側にレンズ１５を保持した状態とするとともに、像側筒部４８によって第６レンズ群５６を保持した状態とする。また、第１ホルダ４０の物体側筒部４５の内側に、板状バネ２３、レンズ１４、レンズ１３およびレンズ１２を順に収容した後、レンズ１２をホルダ６０の被写体側端面で熱溶着する。その際、レンズ１２により、第１ホルダ４０の物体側筒部４５の内側に収容されたレンズ１３、レンズ１４および板状バネ２３を押圧する。その結果、第１ホルダ４０とレンズ１４との間では、板状バネ２３が光軸Ｌ方向で圧縮され、光軸Ｌ方向の付勢力を発揮する。
【０１００】
次に、レンズ１１と同様なレンズ構成を有する透光性の治具９０を、レンズ１１と位置が同じくなるように配置する。
【０１０１】
次に、レンズ１４のみに対して、光軸Ｌに直交する方向の位置を調整する調芯工程を行う。より具体的には、第１ホルダ４０の物体側筒部４５に形成した調芯用開口部９３から調芯ピン等の治具を差し込んで、レンズ１４を光軸Ｌに直交する方向に押圧する。ここで、レンズ１４は、板状バネ２３の付勢力によって固定されているとともに、レンズ１４と凹部４４の内周面との間にはわずかな隙間が介在しているため、レンズ１４は、光軸Ｌに直交する方向に移動する。
【０１０２】
かかる調芯工程の際も、実施の形態１と同様、治具９０の側からモニター光を入射させ
ながら、像側Ｌ２でモニター光を検出し、ＭＴＦを測定する。そして、ＭＴＦの測定結果に基づいて、レンズ１４をＸ方向およびＹ方向に移動させる。
【０１０３】
このようにして調芯工程を行った後、調芯用開口部９３から、レンズ１４と第１ホルダ４０との間に接着剤を供給し、その後、接着剤を硬化させる。その結果、レンズ１４と第１ホルダ４０とは、径方向外側から調芯用開口部９３を介して見える位置に設けられた接着剤によって固定される。
【０１０４】
次に、図４（ａ）に示すように、第２ホルダ６０の内側に第１ホルダ４０を収容し、接着等の方法で固定する。その結果、調芯用開口部９３は、第２ホルダ６０の第２筒部６２によって径方向外側から塞がれる。その後、レンズ１１、第３ホルダ３０および第２ホルダ６０を、物体側Ｌ１の端部に結合させる。より具体的には、レンズ１１を第２ホルダ６０の物体側端面に乗せ、第３ホルダ３０を被写体側から被せて、第３ホルダ３０の筒部３１の内周面に形成された雌ねじ３９を第２ホルダ６０の第２筒部６２の外周面に形成された雄ねじ６９に締めこむ。その結果、広角レンズユニット１が完成する。その際、環状段部６４にＯリング９９を装着しておく。
【０１０５】
かかる広角レンズユニット１において、Ｏリング９９は、レンズ１１と第２ホルダ６０（外側ホルダ８０）との間で圧縮され、レンズ１１と第２ホルダ６０との間がＯリング９９によって封止される。
【０１０６】
このような構成の広角レンズユニット１を監視装置や車両に搭載する際、ホルダ９の像側Ｌ２の第１レンズ保持部９ａと物体側Ｌ１の第２レンズ保持部９ｂとの間に形成された段部６６にＯリングやパッキン等を配置し、像側Ｌ２への水分等の侵入を防止した状態とする。
【０１０７】
（本形態の主な効果）
以上説明したように、本形態の広角レンズユニット１でも、実施の形態１と同様、複数のレンズ１１〜１７のうち、偏芯が解像度に及ぼす影響度（偏芯感度）が大きな２つのレンズ（絞り２１に物体側Ｌ１で隣り合う物体側レンズ、および絞り２１に像側Ｌ２で隣り合う像側レンズ）の一方のレンズ（レンズ１４）を、光軸Ｌと直交する方向に位置調整が行われる調芯レンズとする。このため、調芯対象となるレンズが１つであるため、１回の調芯作業によって、高い解像度を得ることができる等、実施の形態１と同様な効果を奏する。
【０１０８】
また、本形態では、第１ホルダ４０によってレンズ１２〜１７を保持したため、第１ホルダ４０のうち、第２ホルダ６０の第２筒部６２が径方向外側から被さる物体側筒部４５に調芯用開口部９３を形成することができる。このため、第２ホルダ６０の物体側Ｌ１の端部に雄ねじ６９を形成する場合でも、調芯用開口部９３を形成する個所を確保することができる。また、調芯用開口部９２は、第２ホルダ６０の第２筒部６２によって径方向外側から塞がれる。このため、ホルダ９の像側Ｌ２の第１レンズ保持部９ａと物体側Ｌ１の第２レンズ保持部９ｂとの間に形成された段部６６にＯリングやパッキン等を配置して広角レンズユニット１を監視装置や車両に搭載した際、水分等が調芯用開口部９３からホルダ９の内側に侵入しないという利点がある。
【符号の説明】
【０１０９】
１・・広角レンズユニット
９・・ホルダ
９ａ・・第１レンズ保持部
９ｂ・・第２レンズ保持部
１０・・広角レンズ
１１〜１７・・レンズ
２１・・絞り
２２・・赤外線カットフィルタ
２３・・板状バネ
３０・・第３ホルダ
４０・・第１ホルダ
４５・・物体側筒部
４８・・像側筒部
６０・・第２ホルダ
６１・・第１筒部
６２、６３・・第２筒部
７０・・内側ホルダ
９１、９２、９３・・調芯用開口部
Ｌ・・光軸
Ｌ１・・物体側
Ｌ２・・像側
【図１】
2015175918.tif 000003
【図２】
2015175918.tif 000004
【図３】
2015175918.tif 000005
【図４】
2015175918.tif 000006